(57)【特許請求の範囲】
【請求項１】
測定量変換器（３）の多数のメモリ領域を有する内部データメモリ（３２）にデータを保存する方法であって、これらの多数のメモリ領域の中の少なくとも二つのが計数値を保存するために配備されている方法において、
測定量変換器（３）の測定値が多数の測定値範囲の中の如何なる測定値範囲内に該当するのかを決定する工程（Ｓ１）と、
この決定した測定値範囲内に測定値が出現する頻度に対応する、この決定した測定値範囲に対応する計数値を所定の値だけ変更する工程（Ｓ２）と、
この変更した計数値を測定量変換器（３）の内部データメモリ（３２）の計数値を保存するために配備された少なくとも二つのメモリ領域の中のそれに対応するメモリ領域に保存する工程（Ｓ３）と
を有し、これらの測定値範囲に対応する計数値が、この測定量変換器（３）の未だ期待される寿命及び／又は測定精度を正確に推定するために使用される方法。
【請求項２】
当該の少なくとも二つのメモリ領域内に保存された計数値を読み出す工程と、
この読み出した計数値を処理装置（２）に伝送する工程と、
有する請求項１に記載の方法。
【請求項３】
当該の多数の測定値範囲の中の第一の測定値範囲が、最大許容測定値の５０％である測定値から始まり、当該の多数の測定値範囲の中のそれ以外の測定値範囲が、それぞれ第一の測定値範囲よりも大きな測定値から始まる請求項１又は２に記載の方法。
【請求項４】
少なくとも五つの測定値範囲とそれらに対応するメモリ領域が規定されている請求項１から３までのいずれか一つに記載の方法。
【請求項５】
当該の多数の測定値範囲の中の第一の測定値範囲が、最大許容測定値の５０％である測定値から始まり、当該の多数の測定値範囲の中の第二の測定値範囲が、最大許容測定値の７５％である測定値から始まり、当該の多数の測定値範囲の中の第三の測定値範囲が、最大許容測定値の１００％である測定値から始まり、当該の多数の測定値範囲の中の第四の測定値範囲が、最大許容測定値の１１０％である測定値から始まり、当該の多数の測定値範囲の中の第五の測定値範囲が、最大許容測定値の１２０％である測定値から始まり、当該の多数の測定値範囲の中の第六の測定値範囲が、最大許容測定値の１３０％である測定値から始まる請求項１から４までのいずれか一つに記載の方法。
【請求項６】
多数のメモリ領域を有する内部データメモリ（３２）を備えた測定量変換器（３）のための処理装置（２）であって、これらの多数のメモリ領域の中の少なくとも二つのが計数値を保存するために配備されている処理装置（２）において、
測定量変換器（３）からの電気測定信号を処理して、それに対応する測定値を発生する処理機器（２１）と、
電気信号を伝送する第一の伝送機器（２２）と、
を有し、
この処理機器（２１）は、測定値が多数の測定値範囲の中の如何なる測定値範囲内に該当するのかを決定して、この決定した測定値範囲内に測定値が出現する頻度に対応する、この決定した測定値範囲に対応する計数値を所定の値だけ変更し、この変更した計数値を測定量変換器（３）の内部データメモリ（３２）の計数値を保存するために配備された少なくとも二つのメモリ領域の中のそれに対応するメモリ領域に保存するように構成され、
この第一の伝送機器（２２）は、この変更した計数値を測定量変換器（３）に伝送するように構成されており、
これらの測定値範囲に対応する計数値が、この測定量変換器（３）の未だ期待される寿命及び／又は測定精度を正確に推定するために使用される、
処理装置。
【請求項７】
当該の処理機器（２１）が、当該の少なくとも二つのメモリ領域に保存された計数値を読み出すように構成され、
当該の第一の伝送機器（２２）が、この読み出した計数値を受け取るように構成されている、
請求項６に記載の処理装置（２）。
【請求項８】
当該の多数の測定値範囲の中の第一の測定値範囲が、最大許容測定値の５０％である測定値から始まり、当該の多数の測定値範囲の中のそれ以外の測定値範囲が、それぞれ第一の測定値範囲よりも大きな測定値から始まる請求項６又は７に記載の処理装置（２）。
【請求項９】
少なくとも五つの測定値範囲とそれらに対応するメモリ領域が規定されている請求項６から８までのいずれか一つに記載の処理装置（２）。
【請求項１０】
当該の多数の測定値範囲の中の第一の測定値範囲が、最大許容測定値の５０％である測定値から始まり、当該の多数の測定値範囲の中の第二の測定値範囲が、最大許容測定値の７５％である測定値から始まり、当該の多数の測定値範囲の中の第三の測定値範囲が、最大許容測定値の１００％である測定値から始まり、当該の多数の測定値範囲の中の第四の測定値範囲が、最大許容測定値の１１０％である測定値から始まり、当該の多数の測定値範囲の中の第五の測定値範囲が、最大許容測定値の１２０％である測定値から始まり、当該の多数の測定値範囲の中の第六の測定値範囲が、最大許容測定値の１３０％である測定値から始まる請求項６から９までのいずれか一つに記載の処理装置（２）。
【請求項１１】
測定量変換器（３）であって、
物理変量の値に対応する電気測定信号を発生する変換機器（３１）と、
データを保存する内部データメモリ（３２）と、
を有し、
この内部データメモリ（３２）は、多数のメモリ領域を有し、これらのメモリ領域の中の少なくとも二つが計数値を保存するために配備されており、これらの計数値を保存するために配備された少なくとも二つのメモリ領域に、それぞれ所定の測定値範囲内に測定値が出現する頻度に対応する計数値を保存するように構成されており、
請求項１から５までのいずれか一つに記載の方法が、この測定量変換器（３）の内部データメモリ（３２）にアクセスする役割を果たし、
これらの測定値範囲に対応する計数値が、この測定量変換器（３）の未だ期待される寿命及び／又は測定精度を正確に推定するために使用される、
測定量変換器。
【請求項１２】
当該の少なくとも二つのメモリ領域に保存された計数値を処理装置（２）に伝送するように構成された、電気信号を伝送する第二の伝送機器（３３）を有する請求項１１に記載の測定量変換器（３）。
【請求項１３】
当該の多数の測定値範囲の中の第一の測定値範囲が、最大許容測定値の５０％である測定値から始まり、当該の多数の測定値範囲の中のそれ以外の測定値範囲が、それぞれ第一の測定値範囲よりも大きな測定値から始まる請求項１１又は１２に記載の測定量変換器（３）。
【請求項１４】
少なくとも五つの測定値範囲とそれらに対応するメモリ領域が規定されている請求項１１から１３までのいずれか一つに記載の測定量変換器（３）。
【請求項１５】
当該の多数の測定値範囲の中の第一の測定値範囲が、最大許容測定値の５０％である測定値から始まり、当該の多数の測定値範囲の中の第二の測定値範囲が、最大許容測定値の７５％である測定値から始まり、当該の多数の測定値範囲の中の第三の測定値範囲が、最大許容測定値の１００％である測定値から始まり、当該の多数の測定値範囲の中の第四の測定値範囲が、最大許容測定値の１１０％である測定値から始まり、当該の多数の測定値範囲の中の第五の測定値範囲が、最大許容測定値の１２０％である測定値から始まり、当該の多数の測定値範囲の中の第六の測定値範囲が、最大許容測定値の１３０％である測定値から始まる請求項１１から１４までのいずれか一つに記載の測定量変換器（３）。
【請求項１６】
請求項６から１０までのいずれか一つに記載の処理装置（２）と請求項１１から１５までのいずれか一つに記載の測定量変換器（３）を備えた測定システム（１）であって、
請求項１から５までのいずれか一つに記載の方法が測定量変換器（３）の内部データメモリ（３２）にアクセスする役割を果たす測定システム。
【発明の詳細な説明】
【技術分野】
【０００１】
本発明は、内部メモリを備えた測定量変換器、そのような測定量変換器のための処理装置及びそのような測定量変換器の内部データメモリにデータを保存する方法に関する。
【背景技術】
【０００２】
測定量変換器の特性値を保存したデータメモリを備えた測定量変換器が知られている。例えば、特許文献１により、データメモリモジュールを備えた測定量変換器が周知である。そのデータメモリモジュールには、さもなければ別個のデータシート又は校正調書に記録されるような特性値が保存されている。その測定量変換器が評価装置と接続されている場合、データメモリモジュールに保存された特性値を評価装置に伝送することができる。
【０００３】
更に、過去において、所謂プラグ・アンド・測定技術を測定量変換器に配備する努力が行なわれた。その技術は、マウスなどのコンピュータ付属品をコンピュータに接続するための所謂プラグ・アンド・プレイ技術に相当する。測定量変換器のために標準化された電子データシート、所謂トランスデューサ用電子データシート（ＴＥＤＳ）又はセンサ用電子データシートが開発されている。それは、ＩＥＥＥ１４５１．４標準に記載されており、測定量変換器のＥＥＰＲＯＭに保存することができる。その中には、例えば、製造業者データ、モデル番号、シリアル番号、測定範囲、測定感度及び校正データを保存することができる。
【０００４】
それらの周知のデータメモリを備えた測定量変換器では、それぞれ統計データがデータメモリに保存されている。それらは、さもなければ別個のデータシートに記録される特性値と同じ機能を果たす、即ち、測定量変換器の識別とその校正を可能とする。しかし、そのようなデータメモリに測定量変換器のプロセスデータなどの動的なデータも保存することは知られていない。
【０００５】
測定量変換器技術を採用している用途の一部には、プロセスデータを測定量変換器に直接保存する必要性が有る。そのことは、機械構造の分野に言え、同じくそれ以外の技術分野にも言える。
【０００６】
プロセスデータを測定量変換器に直接保存する必要性は、例えば、測定量変換器の製造業者又は（エンドユーザへの直接販売を行なっていない場合には）そのベンダーに生じ得る。エンドユーザもそのような必要性が生じる可能性が有る。
【先行技術文献】
【特許文献】
【０００７】
【特許文献１】ドイツ特許第１０１３０２１５号明細書
【発明の概要】
【発明が解決しようとする課題】
【０００８】
以上のことから、本発明の課題は、測定量変換器の連続した動作時に発生するプロセスデータを測定量変換器に直接保存することが可能な、内部メモリを備えた測定量変換器、そのような測定量変換器のための処理装置及びそのような測定量変換器の内部データメモリにデータを保存する方法を提供することである。これらのデータは、連続した動作において、並びに測定量変換器を使用していた測定装置から測定量変換器を取り外した後でも読出可能とする。
【課題を解決するための手段】
【０００９】
本課題は、請求項１に記載の方法、請求項６に記載の処理装置、請求項１１に記載の測定量変換器及び請求項１６に記載の測定システムにより解決される。
【００１０】
本発明の第一の実施形態では、測定量変換器の内部データメモリにデータを保存する方法が提供される。この方法は、測定量変換器の測定値が多数の測定値範囲の中の如何なる測定値範囲内に該当するのかを決定する工程と、この決定した測定値範囲に対応する計数値を所定の値だけ変更する工程と、この変更した計数値を測定量変換器の内部データメモリの多数のメモリ領域の少なくとも二つのメモリ領域の中のそれに対応するメモリ領域に保存する工程とを有する。
【００１１】
これらの工程は、連続したプロセスにおいて実行することができる。そのため、測定量変換器の連続した動作時に発生するプロセスデータ、即ち、計数値を測定量変換器に直接保存することが可能である。
【００１２】
これらの測定量変換器の内部データメモリに保存された計数値は、測定量変換器に、そのため、ユーザに直接対応付けることができる。それによって、最早取り違えは起こり得ない。測定量変換器の外に、例えば、測定量変換器の外部後続電子機器や製造業者の広域データベースなどの追加の記憶手段は不要である。そのため、そのような追加の記憶手段に関する負担を節約することができる。更に、内部データメモリへの計数値の書き込みが特別な機能を用いてのみ可能であり、ユーザがその機能にアクセスできないので、これらの計数値は、ユーザによって操作することはできない。
【００１３】
本発明の第一の実施形態に基づく第二の実施形態では、この方法は、少なくとも二つのメモリ領域に保存された計数値を読み出す工程と、この読み出した計数値を処理装置に伝送する工程とを有する。
【００１４】
これらの計数値は、連続したプロセスにおいて、並びに測定量変換器を使用していた測定装置から測定量変換器を取り外した後でも読み出すことができる。場合によっては、この処理装置は、測定装置に属するか、或いは例えば、検査又は分析装置の一部とすることができる。そのため、測定量変換器のユーザも、製造業者又はベンダーも、これらの計数値を読み出して、その分析から、例えば、測定量変換器の未だ期待される寿命及び／又は測定精度を推定することができる。更に、製造業者又はベンダーは、測定量変換器の障害に起因するユーザの保証要求を有効とするか否かをユーザによる測定量変換器の負荷、特に、過負荷に基づき判断することができる。
【００１５】
本発明の前記の実施形態の中の一つに基づく第三の実施形態では、前記の多数の測定値範囲の中の第一の測定値範囲は、最大許容測定値の５０％である測定値から始まる。前記の多数の測定値範囲の中のそれ以外の測定値範囲は、それぞれ第一の測定値範囲よりも大きな測定値から始まる。
【００１６】
最大許容測定値を上回る測定値だけでなく、確かに最大許容測定値を下回るが、許容測定範囲全体の上限に有る測定値も、許容測定範囲全体の下限又は中央の測定値よりも大きな影響を測定量変換器の寿命及び測定精度に与える。それらを同様に取得することが、測定量変換器の未だ期待される寿命及び／又は測定精度をより正確に推定することを可能とする。
【００１７】
本発明の前記の実施形態の中の一つに基づく第四の実施形態では、少なくとも五つの測定値範囲とそれに対応するメモリ領域が規定される。
【００１８】
測定値範囲をより細かく分けることによって、測定量変換器の未だ期待される寿命及び／又は測定精度の推定精度を向上することができる。
【００１９】
本発明の前記の実施形態の中の一つに基づく第五の実施形態では、前記の多数の測定値範囲の中の第一の測定値範囲は、最大許容測定値の５０％である測定値から始まる。前記の多数の測定値範囲の中の第二の測定値範囲は、最大許容測定値の７５％である測定値から始まる。前記の多数の測定値範囲の中の第三の測定値範囲は、最大許容測定値の１００％である測定値から始まる。前記の多数の測定値範囲の中の第四の測定値範囲は、最大許容測定値の１１０％である測定値から始まる。前記の多数の測定値範囲の中の第五の測定値範囲は、最大許容測定値の１２０％である測定値から始まる。前記の多数の測定値範囲の中の第六の測定値範囲は、最大許容測定値の１３０％である測定値から始まる。
【００２０】
この測定値範囲の特別な構成によって、測定量変換器の未だ期待される寿命及び／又は測定精度を特に正確に推定することが可能である。
【００２１】
本発明の第六の実施形態では、内部データメモリを備えた測定量変換器のための処理装置が提供される。この処理装置は、測定量変換器からの電気測定信号を処理して、それに対応する測定値を発生する処理機器と、電気信号を伝送する第一の伝送機器とを有する。この処理機器は、測定値が多数の測定値範囲の中の如何なる測定値範囲内に該当するのかを決定して、この決定した測定値範囲に対応する計数値を所定の値だけ変更し、この変更した計数値を測定量変換器の内部データメモリの多数のメモリ領域の少なくとも二つのメモリ領域の中のそれに対応するメモリ領域に保存するように構成される。この第一の伝送機器は、この変更した計数値を測定量変換器に伝送するように構成される。
【００２２】
このことは、測定量変換器の連続した動作において発生するプロセスデータ、即ち、計数値を測定量変換器に直接保存することを可能とする。測定量変換器の内部データメモリに保存された計数値は、測定量変換器に、そのため、ユーザに直接対応付けることができる。それによって、最早取り違えは起こり得ない。測定量変換器の外に、例えば、測定量変換器の外部後続電子機器や製造業者の広域データベースなどの追加の記憶手段は不要である。そのため、そのような追加の記憶手段に関する負担を節約することができる。更に、内部データメモリへの計数値の書き込みが特別な機能を用いてのみ可能であり、ユーザがその機能にアクセスできないので、これらの計数値は、ユーザによって操作することはできない。
【００２３】
本発明の第六の実施形態に基づく第七の実施形態では、処理機器は、前記の少なくとも二つのメモリ領域に保存された計数値を読み出すように構成される。第一の伝送機器は、この読み出した計数値を受け取るように構成される。
【００２４】
これらの計数値は、連続したプロセスにおいて、並びに測定量変換器を使用していた測定装置から測定量変換器を取り外した後でも読み出すことができる。そのため、測定量変換器のユーザも、製造業者又はベンダーも、これらの計数値を読み出して、その分析から、例えば、測定量変換器の未だ期待される寿命及び／又は測定精度を推定することができる。更に、製造業者又はベンダーは、測定量変換器の障害に起因するユーザの保証要求を有効とするか否かをユーザによる測定量変換器の負荷、特に、過負荷に基づき判断することができる。
【００２５】
本発明の第六又は第七の実施形態に基づく第八の実施形態では、前記の多数の測定値範囲の中の第一の測定値範囲は、最大許容測定値の５０％である測定値から始まる。前記の多数の測定値範囲の中のそれ以外の測定値範囲は、それぞれ第一の測定値範囲よりも大きな測定値から始まる。
【００２６】
最大許容測定値を上回る測定値だけでなく、確かに最大許容測定値を下回るが、許容測定範囲全体の上限に有る測定値も、許容測定範囲全体の下限又は中央の測定値よりも大きな影響を測定量変換器の寿命及び測定精度に与える。それらを同様に取得することが、測定量変換器の未だ期待される寿命及び／又は測定精度をより正確に推定することを可能とする。
【００２７】
本発明の第六から第八までの実施形態の中の一つに基づく第九の実施形態では、少なくとも五つの測定値範囲とそれに対応するメモリ領域が規定される。
【００２８】
測定値範囲をより細かく分けることによって、測定量変換器の未だ期待される寿命及び／又は測定精度の推定精度を向上することができる。
【００２９】
本発明の第六から第九までの実施形態の中の一つに基づく第十の実施形態では、前記の多数の測定値範囲の中の第一の測定値範囲は、最大許容測定値の５０％である測定値から始まる。前記の多数の測定値範囲の中の第二の測定値範囲は、最大許容測定値の７５％である測定値から始まる。前記の多数の測定値範囲の中の第三の測定値範囲は、最大許容測定値の１００％である測定値から始まる。前記の多数の測定値範囲の中の第四の測定値範囲は、最大許容測定値の１１０％である測定値から始まる。前記の多数の測定値範囲の中の第五の測定値範囲は、最大許容測定値の１２０％である測定値から始まる。前記の多数の測定値範囲の中の第六の測定値範囲は、最大許容測定値の１３０％である測定値から始まる。
【００３０】
この測定値範囲の特別な構成によって、測定量変換器の未だ期待される寿命及び／又は測定精度を特に正確に推定することが可能である。
【００３１】
本発明の第十一の実施形態では、測定量変換器が提供される。この測定量変換器は、物理変量の値に対応する電気測定信号を発生する変換機器と、データを保存する内部データメモリとを有する。この内部データメモリは、多数のメモリ領域を有し、これらの多数のメモリ領域の少なくとも二つのメモリ領域に、それぞれ所定の測定値範囲内に測定値が出現する頻度に対応する計数値を保存するように構成される。
【００３２】
このことは、測定量変換器の連続した動作において発生するプロセスデータ、即ち、計数値を測定量変換器に直接保存することを可能とする。測定量変換器の内部データメモリに保存された計数値は、測定量変換器に、そのため、ユーザに直接対応付けることができる。それによって、最早取り違えは起こり得ない。測定量変換器の外に、例えば、測定量変換器の外部後続電子機器や製造業者の広域データベースなどの追加の記憶手段は不要である。そのため、そのような追加の記憶手段に関する負担を節約することができる。更に、内部データメモリへの計数値の書き込みが特別な機能を用いてのみ可能であり、ユーザがその機能にアクセスできないので、これらの計数値は、ユーザによって操作することはできない。
【００３３】
本発明の第十一の実施形態に基づく第十二の実施形態では、測定量変換器は、前記の少なくとも二つのメモリ領域に保存された計数値を処理装置に伝送するように構成された、電気信号を伝送する第二の伝送機器を有する。
【００３４】
これらの計数値は、連続したプロセスにおいて、並びに測定量変換器を使用していた測定装置から測定量変換器を取り外した後でも読み出すことができる。そのため、測定量変換器のユーザも、製造業者又はベンダーも、これらの計数値を読み出して、その分析から、例えば、測定量変換器の未だ期待される寿命及び／又は測定精度を推定することができる。更に、製造業者又はベンダーは、測定量変換器の障害に起因するユーザの保証要求を有効とするか否かをユーザによる測定量変換器の負荷、特に、過負荷に基づき判断することができる。
【００３５】
本発明の第十一又は第十二の実施形態に基づく第十三の実施形態では、前記の多数の測定値範囲の中の第一の測定値範囲は、最大許容測定値の５０％である測定値から始まる。前記の多数の測定値範囲の中のそれ以外の測定値範囲は、それぞれ第一の測定値範囲よりも大きな測定値から始まる。
【００３６】
最大許容測定値を上回る測定値だけでなく、確かに最大許容測定値を下回るが、許容測定範囲全体の上限に有る測定値も、許容測定範囲全体の下限又は中央の測定値よりも大きな影響を測定量変換器の寿命及び測定精度に与える。それらを同様に取得することが、測定量変換器の未だ期待される寿命及び／又は測定精度をより正確に推定することを可能とする。
【００３７】
本発明の第十一から第十三までの実施形態の中の一つに基づく第十四の実施形態では、少なくとも五つの測定値範囲とそれに対応するメモリ領域が規定される。
【００３８】
測定値範囲をより細かく分けることによって、測定量変換器の未だ期待される寿命及び／又は測定精度の推定精度を向上することができる。
【００３９】
本発明の第十一から第十四までの実施形態の中の一つに基づく第十五の実施形態では、前記の多数の測定値範囲の中の第一の測定値範囲は、最大許容測定値の５０％である測定値から始まる。前記の多数の測定値範囲の中の第二の測定値範囲は、最大許容測定値の７５％である測定値から始まる。前記の多数の測定値範囲の中の第三の測定値範囲は、最大許容測定値の１００％である測定値から始まる。前記の多数の測定値範囲の中の第四の測定値範囲は、最大許容測定値の１１０％である測定値から始まる。前記の多数の測定値範囲の中の第五の測定値範囲は、最大許容測定値の１２０％である測定値から始まる。前記の多数の測定値範囲の中の第六の測定値範囲は、最大許容測定値の１３０％である測定値から始まる。
【００４０】
この測定値範囲の特別な構成によって、測定量変換器の未だ期待される寿命及び／又は測定精度を特に正確に推定することが可能である。
【００４１】
本発明の第十六の実施形態では、第六から第十の実施形態の中の一つによる処理装置と第十一から第十五の実施形態の中の一つによる測定量変換器を備え、第一から第五の実施形態の中の一つによる方法が測定量変換器の内部データメモリにアクセスする役割を果たす測定システムが提供される。
【００４２】
この測定システムによって、その構成要素と関連して既に前述した利点を達成することができる。
【００４３】
以下において、模式図と関連した実施例に基づき本発明を詳しく説明する。
【図面の簡単な説明】
【００４４】
【図１】測定システム例のブロック図
【図２】測定量変換器の内部データメモリにデータを保存する方法例の基本工程を図解したフローチャート図
【発明を実施するための形態】
【００４５】
図１は、測定システム１の例のブロック図を図示している。このシステムは、接続部４を介して互いに接続された、処理装置２と、センサとも称される測定量変換器３とを有する。この処理装置２は、処理機器２１と第一の伝送機器２２を有する一方、この測定量変換器３は、変換機器３１、内部データメモリ３２及び第二の伝送機器３３を有する。
【００４６】
この処理装置２は、例えば、測定増幅器、コンピュータ又はそれ以外の後続電子機器とすることができる。処理装置２が如何に構成されているかに応じて、処理機器２１と第一の伝送機器２２を統合するか、或いは別個の部品とすることができる。それらは、例えば、両方を測定増幅器の集積回路の構成部分として実現することができる。処理機器２１と第一の伝送機器２２が如何に実現されているかに応じて、図１に模式的に図示された、それらの間の接続部は、別の部品とするか、或いは別の部品としないこともできる。
【００４７】
この測定量変換器３は、受動的な測定量変換器、即ち、信号を増幅しない測定量変換器とすることができる。これは、例えば、力変換器、回転トルク変換器、圧力変換器、変位変換器、歪変換器、温度変換器、湿度変換器又はそれら以外の任意の変換器とすることができる。如何なる測定量を検出するかに応じて、その変換機器３１は、物理的又は化学的効果に基づき所望の測定量を検出して、それを再処理可能な量に変換し、この場合、それは電気測定信号である。この変換機器３１は、例えば、測定量を電気信号に変換するＤＭＳ（歪ゲージ）を利用することができる。その場合、ＤＭＳは、フルブリッジ、ハーフブリッジ又はクォータブリッジとして接続されたホイートストンブリッジに統合することができる。例えば、測定量変換器３を圧力変換器として、その変換機器３１にフルブリッジとして接続されたＤＭＳを配備することができる。
【００４８】
測定量変換器３の内部データメモリ３２と第二の伝送機器３３は、別個の部品として、或いは相互に統合及び／又は変換機器３１に統合することができる。変換機器３１、内部データメモリ３２及び第二の伝送機器３３が如何なる形で実現されているかに応じて、図１に模式的に図示された、それらの間の接続部を別の部品とするか、或いは別の部品としないこともできる。
【００４９】
この内部データメモリ３２は、何れにせよ既に測定量変換器３内に有るメモリ又は独自に準備したメモリとすることができる。第一の場合、例えば、ＩＥＥＥ１４５１．４標準に基づく電子データシート、或いはそれを保存したＥＥＰＲＯＭ又はそれ以外のメモリ媒体は、内部データメモリ３２として使用することができる。言い換えると、内部データメモリ３２は、ＴＥＤＳ又はそれを保存したメモリ媒体とすることができる。
【００５０】
この接続部４としては、様々なコネクタが考えられる。変換機器３１がＤＭＳに基づく場合、変換機器３１又は測定量変換器３は、例えば、６線技術で繋ぐことができ、そのため、この接続部４は、心線が六本のケーブルとして構成することができる。３線又は４線技術のコネクタも可能である。
【００５１】
測定動作の間、それぞれ変換機器３１により検出された測定量の値に対応する電気測定信号は、第二の伝送機器３３と接続部４を介して処理装置２の第一の伝送機器２２に伝送される。この処理装置２の処理機器２１は、第一の伝送機器２２により受け取った電気測定信号を処理して、それに対応する測定値を発生する。この処理は、電気測定信号の増幅を含むことができる。
【００５２】
その後、処理機器２１は、発生した測定値が多数の測定値範囲の中の如何なる測定値範囲内に該当するのかを決定して、その決定した測定値範囲に対応する計数値を所定の値だけ変更する。例えば、この計数値は、１又はそれ以外の値だけ増加又は低減することができる。この場合、この計数値の初期値は、自由に選定することができる。この計数値を増加する場合、例えば、その初期値を０に設定することができる。この計数値を低減する場合、例えば、計数値は、０にまで低減された時に測定量変換器３の寿命の期待される終了に関する根拠を提供するように、その初期値を設定することができる。
【００５３】
この変更された計数値は、第一の伝送機器２２と接続部４を介して第二の伝送機器３３に伝送され、測定量変換器３の内部データメモリ３２のそれに対応するメモリ領域に保存される。この場合、少なくとも二つの測定値範囲と内部データメモリ３２のそれに対応するメモリ領域が、計数値を保存するために規定される。更に、内部データメモリ３２は、それ以外の目的のための別のメモリ領域も備えることができる。
【００５４】
従って、それぞれ所定の測定値範囲内での測定値の出現頻度が内部データメモリ３２のそれに対応するメモリ領域に保存される。言い換えると、負荷の集合体が外部メモリ媒体ではなく、測定量変換器３に直接保存される。この場合、測定量変換器３は、受動的な測定量変換器、即ち、信号を増幅せず、そのための電子機器を備えていない測定量変換器とすることができる。
【００５５】
前述した機能は、事前に処理装置２の製造時に配備することができる。しかし、それは、その後の時点で追加配備することもできる。それは、例えば、処理装置２のファームウェア内のそれに対応する機能によって実現することができ、その後の時点で、そのファームウェアをインポートし、そのようにして機能を追加配備することもできる。この場合、そのファームウェアは、例えば、図１に図示されていない処理装置２のＥＥＰＲＯＭに保存することができる。
【００５６】
これらの測定値範囲と内部データメモリ３２のそれに対応するメモリ領域は、基本的に自由に選定可能である。確かに最大許容測定値を下回るが、許容測定範囲全体の上限に有る測定値範囲と、最大許容測定値を上回る測定値範囲とが特に重要である。そのような測定値範囲内に該当する測定値は、許容測定範囲全体の下限又は中央の測定値よりも大きな影響を測定量変換器３の寿命と測定精度に与える。構成例は、以下の通りである。
【００５７】
第一の構成では、第一の測定値範囲は、最大許容測定値の５０％，５５％，６０％，６５％，７０％，７５％，８０％，８５％，９０％又は９５％である測定値から始まる。第二の測定値範囲は、最大許容測定値の１００％である測定値から始まる。この第一の測定値範囲は、第二の測定値範囲の始まりまで延びるが、その中まで延びたり、それを超えることはできない。
【００５８】
第二の構成では、第一の測定値範囲は、最大許容測定値の８５％である測定値から始まる。第二の測定値範囲は、最大許容測定値の１００％である測定値から始まる。第三の測定値範囲は、最大許容測定値の１１５％である測定値から始まる。この第一の測定値範囲は、第二の測定値範囲の始まりまで延びるが、その中まで延びたり、それを超えることはできない。この第二の測定値範囲は、第三の測定値範囲の始まりまで延びるが、その中まで延びたり、それを超えることはできない。
【００５９】
第三の構成では、第一の測定値範囲は、最大許容測定値の９０％である測定値から始まる。第二の測定値範囲は、最大許容測定値の１００％である測定値から始まる。第三の測定値範囲は、最大許容測定値の１１０％である測定値から始まる。第四の測定値範囲は、最大許容測定値の１２０％である測定値から始まる。第五の測定値範囲は、最大許容測定値の１３０％である測定値から始まる。これらの測定値範囲の各々は、その次の測定値範囲の始まりまで延びるが、その中まで延びたり、それを超えることはできない。
【００６０】
多数の別の構成も考えられる。即ち、例えば、より大きい測定値範囲を使用することができる。例えば、第一の測定値範囲は、最大許容測定値の７５％である測定値から始まり、第二の測定値範囲は、最大許容測定値の１００％である測定値から始まり、第三の測定値範囲は、最大許容測定値の１２５％である測定値から始まることができる。さもなければ、第一の測定値範囲は、最大許容測定値の１００％である測定値から始まり、第二の測定値範囲は、最大許容測定値の１５０％である測定値から始まり、第三の測定値範囲は、最大許容測定値の２００％である測定値から始まることができる。
【００６１】
しかし、より小さい測定値範囲を使用することもできる。例えば、第一の測定値範囲は、最大許容測定値の８５％である測定値から始まり、第二の測定値範囲は、最大許容測定値の９０％である測定値から始まり、第三の測定値範囲は、最大許容測定値の９５％である測定値から始まり、第四の測定値範囲は、最大許容測定値の１００％である測定値から始まり、第五の測定値範囲は、最大許容測定値の１０５％である測定値から始まり、第六の測定値範囲は、最大許容測定値の１１０％である測定値から始まり、第七の測定値範囲は、最大許容測定値の１１５％である測定値から始まる云々とすることができる。
【００６２】
更に、全てが同じ大きさでない測定値範囲を使用することができる。即ち、例えば、第一の測定値範囲は、最大許容測定値の５０％である測定値から始まり、第二の測定値範囲は、最大許容測定値の７５％である測定値から始まり、第三の測定値範囲は、最大許容測定値の１００％である測定値から始まり、第四の測定値範囲は、最大許容測定値の１１０％である測定値から始まり、第五の測定値範囲は、最大許容測定値の１２０％である測定値から始まり、第六の測定値範囲は、最大許容測定値の１３０％である測定値から始まることができる。更に、第一の測定値範囲は、例えば、最大許容測定値の１０％である測定値などのより小さい測定値から早くも始まることができ、そのようにして、例えば、許容測定範囲全体をカバーすることもできる。
【００６３】
前記の測定値範囲又はそれら以外の測定値範囲の任意の組合せも考えられる。測定値範囲は、例えば、最大許容測定値の９１％である測定値、最大許容測定値の１０２％である測定値、最大許容測定値の１０８％である測定値、最大許容測定値の１３３％である測定値、最大許容測定値の２２０％である測定値云々などの前記に明示されていない値から始まることもできる。
【００６４】
これらの異なる構成は、それぞれその次の測定値範囲の始まりまで延びるが、その中まで延びたり、それを超えない如何なる測定値範囲とすることができる。それに適合した構成の選定は、所定の用途で期待される測定値を考慮して行なわれる。それは、基本的に内部データメモリ３２の大きさ又は内部データメモリ３２の計数値の保存に使用可能なメモリ領域全体の大きさによってのみ制限される。
【００６５】
内部データメモリ３２の異なるメモリ領域に保存された計数値は、必要に応じて個々に、或いは全部読み出すことができる。それは、測定量変換器３の連続した動作において、そのユーザにより行なうことができる。この場合、計数値は、第二の伝送機器３３と接続部４を介して第一の伝送機器２２に伝送され、その読み出しは、処理機器２１によって実行することができる。この場合、計数値の伝送は、電気測定信号の伝送にも使用される接続部４の心線を介して行なうことができる。ユーザは、読み出された計数値を分析することができ、この分析結果は、例えば、測定量変換器３の未だ期待される寿命及び／又は測定精度を推定可能とすることができる。
【００６６】
一般的に、測定量変換器３の内部データメモリ３２への計数値又はそれ以外のデータの書き込み及びそこからの計数値又はそれ以外のデータの読み出し、或いはこれらの計数値又はそれ以外のデータの伝送は、様々な伝送技術を用いて実現することができる。即ち、この場合、接続部４のケーブルの追加心線を不要（「ゼロワイヤ」）とすることができる。しかし、この伝送は、ケーブルのそのような追加心線（「ワンワイヤ」）又は無線（「ノーワイヤ」）により行なうこともできる。後者は、例えば、ＲＦＩＤ技術（「無線周波数認証」又は「電磁波を用いた認証」）により実現することができる。
【００６７】
内部データメモリ３２の異なるメモリ領域に保存された計数値は、測定量変換器を使用していた測定装置から測定量変換器を取り外した後でも読み出すことができる。例えば、測定量変換器３の製造業者又はベンダーにおいて、例えば、検査又は分析装置の一部とすることができる、それに対応する後続電子機器を用いて、計数値を読み出すことができる。そして、製造業者又はベンダーは、読み出した計数値を分析して、例えば、測定量変換器３がそのユーザにより如何なる程度の負荷をかけられていたかを確認することができる。例えば、最大許容測定値に到達したか、或いはそれを上回ったか、それが如何なる頻度で起こったか、並びにそのような超過が如何なる規模で発生したかを確かめることができる。
【００６８】
製造業者又はベンダーは、ユーザによる測定量変換器３の負荷、特に、過負荷を知った場合、その知見に基づき測定量変換器３の障害に起因するユーザの保証要求を有効とするか否かを判断することができる。最大許容測定値を上回っていた場合、保証要求を拒否することができる。
【００６９】
別の考えられる用途は、測定量変換器３の未だ期待される寿命及び／又は測定精度を推定することである。それは、例えば、ルーチンワークとして所定の時間間隔で行なうこともできる、即ち、製造業者又はベンダーにおいて、測定量変換器３の規則的な保守を行なうことができる。負荷の頻度と個別的でない測定値が測定量変換器３に保存されていることによって、メモリスペースが制限されている場合でも、例えば、５年や１０年などの長い時間期間に渡って負荷データを保存することが可能である。そのような長期間の保存は、例えば、長期間の品質管理時に役に立つ場合が有る。
【００７０】
この処理装置２を図１に図示されていない制御システムと接続するために、様々なバスシステムを用いることができる。即ち、例えば、プロフィバスＤＰ（「Ｄｅｃｅｎｔｒａｌｉｚｅｄ  Ｐｅｒｉｐｈｅｒａｌｓ」又は「分散周辺機器」）、ＣＡＮバス（「コントローラ・エリア・ネットワーク」）又はそれ以外のフィールドバスを使用することができる。この場合、測定量変換器３の内部データメモリ３２へのデータの書き込み及びそこからのデータの読み出しは、様々なアクセス方法及びメカニズムによって行なうことができる。即ち、例えば、プロフィバスＤＰを用いて、ＤＰ−Ｖ１機能（非循環データ交換）又はＤＰ−Ｖ２機能（等時データ交換）を使用することができ、ＣＡＮバスを用いて、ＣＡＮに基づく通信プロトコルＣＡＮｏｐｅｎによりＳＤＯ機能（サービスデータオブジェクト）を使用することができる。
【００７１】
図２は、測定量変換器３の内部データメモリ３２にデータを保存する方法例の基本的な工程を図解したフローチャートを図示している。工程Ｓ１で、計数値が多数の測定値範囲の中の如何なる測定値範囲内に該当するかを決定する。工程Ｓ２で、決定した測定値範囲に対応する計数値を所定の値だけ変更する。工程Ｓ３で、この変更した計数値を測定量変換器３の内部データメモリ３２の多数のメモリ領域の少なくとも二つのメモリ領域の中のそれに対応するメモリ領域に保存する。
【００７２】
この方法は、例えば、前記の少なくとも二つのメモリ領域に保存した計数値を読み出す工程及び読み出した計数値を処理装置に伝送する工程などの図２に図示されていない別の工程を含むことができる。
【００７３】
これら全ての工程は、連続したプロセスにおいて、即ち、測定動作の間に実行することができる。それに対して、この保存した計数値の利用は、少なくとも連続したプロセス外で、例えば、サービス又は管理部門で行なわれる。
【００７４】
測定量変換器３の内部データメモリ３２に保存された計数値は、測定量変換器３に、そのため、各ユーザに直接対応付けることができる。それによって、最早取り違えは起こり得ない。測定量変換器３の外に、例えば、外部後続電子機器や製造業者の広域データベースなどの追加の記憶手段は不要である。そのため、そのような追加の記憶手段に関する負担を節約することができる。更に、内部データメモリ３２への計数値の書き込みが前述した後続電子機器の特別な機能を用いてのみ可能であり、ユーザがその機能にアクセスできないので、これらの計数値は、ユーザによって操作することはできない。
【００７５】
要約すると、本発明は、内部データメモリ３２を備えた測定量変換器３、そのような測定量変換器３のための処理装置２及びそのような測定量変換器３の内部データメモリ３２にデータを保存する方法に関する。この内部データメモリ３２は、多数のメモリ領域を有する。これらの多数のメモリ領域の少なくとも二つのメモリ領域には、それぞれ所定の測定値範囲内に計数値が出現する頻度に対応する計数値が保存されている。そのため、測定量変換器の負荷に関するデータは、その測定量変換器に直接保存され、その後その測定量変換器に直接かつ確実に対応付けることができる。それによって、操作に対して保護されたデータの保存が可能となり、測定量変換器の製造業者又はベンダーは、例えば、エンドユーザによる苦情が起こった場合に、測定量変換器が過負荷であったかを確認することができる。更に、測定量変換器の未だ期待される寿命及び／又は測定精度を推定することができる。
【図１】
0006257619.tif 000002
【図２】
0006257619.tif 000003